(57)【要約】    【課題】  本考案の目的は、軽量で持ち歩きに便利なカメラスタンドであって、通常のバックに入れて持ち歩くことを可能としたカメラスタンドを提供することにある。  また、バックに入れたときに他の物が引っかかったり、小物が脚の間にはまりこんだりしないカメラスタンドであって、面倒な設置作業を軽減し、高い位置にカメラを据える機能を持つカメラスタンドを提供することにある。    【解決手段】  雲台８、９を有し伸張可能な芯棒３と、芯棒３の長手方向に移動可能なスライド４を設け、スライド４に取り付けたブラケット４ａ又は芯棒３の下部に取り付けたベース７ｂのいずれかと回り対偶で連結した３本以上の脚５、６を設ける。  さらに、芯棒３の下部に取り付けたベース７ａ又はスライドに取り付けたブラケット４ｂのいずれかと回り対偶で連結し、かつ、脚５、６と回り対偶で連結するリンク１１、１２を有するカメラスタンド１、２とする。【選択図】            図３
0003115185.tif 000002
【実用新案登録請求の範囲】
【請求項１】
芯棒と、前記芯棒にガイドされ長手方向に移動可能なスライドと、前記スライドと回り対偶で連結する３本以上の脚と、
前記３本以上の脚のそれぞれに対応して取り付けたリンクであって、片方において前記芯棒の下部と回り対偶で連結し、他方において前記脚と回り対偶で連結するリンクと、
前記芯棒の上部に取り付けた雲台とを有することを特徴とするカメラスタンド。
【請求項２】
芯棒と、前記芯棒にガイドされ長手方向に移動可能なスライドと、前記芯棒の下部と回り対偶で連結する３本以上の脚と、
前記３本以上の脚のそれぞれに対応して取り付けたリンクであって、片方において前記スライドと回り対偶で連結し、他方において前記脚と回り対偶で連結するリンクと、
前記芯棒の上部に取り付けた雲台とを有することを特徴とするカメラスタンド。
【請求項３】
請求項１又は請求項２のいずれかに記載したカメラスタンドであって、芯棒を複数の芯棒に分割し、下部の芯棒の中に上部の芯棒を挿入出する構成とすることにより、不使用時に長さを短く収納することを可能としたことを特徴とするカメラスタンド。
【請求項４】
請求項１〜請求項３のいずれかに記載したカメラスタンドであって、収納時にその断面が概略多角形又は概略円形のいずれかになるように収納することを可能としたことを特徴とするカメラスタンド。
【請求項５】
請求項１〜請求項４のいずれかに記載したカメラスタンドであって、雲台に止め枠を設け、収納時に前記止め枠により脚をまとめて拘束する構成としたことを特徴とするカメラスタンド。
【考案の詳細な説明】
【技術分野】
【０００１】
本考案はカメラやビデオカメラなどを保持するカメラスタンドに係わり、不使用時には小さく収納することが可能であって、収納時にばらばらの骨組み状態にならず、面倒な設置作業を軽減した効果が得られるカメラスタンドに関するものである。
【背景技術】
【０００２】
最近はデジタルカメラやビデオカメラの小型化や軽量化が進み、バックに入れて持ち歩き人物や風景の撮影をしている。しかし、カメラスタンドがないと他人は撮影できても自分自身を撮影することはできない問題があった。
従来のカメラスタンドには３本以上の脚を有し、脚を個別に伸張して使用するものがあった。係るカメラスタンドは重たく持ち歩きに不便であった。さらに、収容時のサイズが大きかったため、通常のバックに入れて持ち歩くことができない問題があった。
また、収納時には脚がバラバラの骨組み状態となるのでデザイン性に優れず、大きなバッグに入れたときに他のものが引っかかったり、小物が脚の間にはまりこんだりして、バックの中の物の出し入れを阻害する問題があった。
また、従来のカメラスタンドを使用するときは、脚を広げる動作の後に、３本以上の脚を個別に伸張させる動作が必要で、多くの動作を要し設置作業が面倒であった。さらに、脚の長さが長いため広い設置スペースを要し、使用場所が限定される問題があった。
小型のカメラスタンドの発明としては、雲台と連結部とカメラ支持部と開閉する２本の脚からなるカメラスタンドの発明があった（例えば、特許文献１参照）。しかし、かかる発明には高さ調整機能が制限され、高い位置にカメラを据える機能を持たせるためには収納時に長大になる問題がった。
【特許文献１】特開平９−２１１７１６号公報
【考案の開示】
【考案が解決しようとする課題】
【０００３】
本考案は上記した従来技術の欠点を解決するためになされたもので、収納時に小型で軽量で持ち歩きに便利なカメラスタンドであって、通常のバックに入れることを可能としたカメラスタンドを提供することにある。
また、デザイン性に優れたカメラスタンドであって、バックの中に入れたときに他の物が引っかかったり、小物が脚の間にはまりこんだりしないカメラスタンドを提供することにある。
また、収納状態から少ない動作で設置可能とすることにより面倒な設置作業を軽減し、設置スペースが狭くすみ使用場所が限定されることのないカメラスタンドを提供することにある。
さらに、高さ調整機能に制限を受けず、高い位置にカメラを据える機能を持つカメラスタンドであって、不使用時に短尺に収納することを可能としたカメラスタンドを提供することにある。
【課題を解決するための手段】
【０００４】
雲台を有し伸張可能に構成した芯棒と、前記芯棒にガイドされ長手方向に移動可能なスライドを設け、
前記スライド又は前記芯棒の下部のいずれかと回り対偶で連結する３本以上の脚と、
片方において前記芯棒の下部又は前記スライドのいずれかと回り対偶で連結し、かつ、他方において前記脚とも回り対偶で連結するリンクを各脚毎にそれぞれ設けたカメラスタンドとする。
【考案の効果】
【０００５】
本考案により、収納時に小型で軽量で持ち歩きに便利なカメラスタンドであって、通常のバックに入れることを可能としたカメラスタンドを提供することができた。
また、デザイン性に優れたカメラスタンドであって、バックの中に入れたときに他の物が引っかかったり、小物が脚の間にはまりこんだりしないカメラスタンドを提供することができた。
また、収納状態から少ない動作で設置可能とすることにより面倒な設置作業を軽減し、設置スペースが狭くすみ使用場所が限定されることのないカメラスタンドを提供することができた。
さらに、高い位置にカメラを据える機能を持つカメラスタンドであって、不使用時に短尺に収納することを可能としたカメラスタンドを提供することができた。
【考案を実施するための最良の形態】
【０００６】
請求項１の考案は、芯棒と、前記芯棒にガイドされ長手方向に移動可能なスライドと、前記スライドと回り対偶で連結する３本以上の脚と、
前記３本以上の脚のそれぞれに対応して取り付けたリンクであって、片方において前記芯棒の下部と回り対偶で連結し、他方において前記脚と回り対偶で連結するリンクと、
さらに、前記芯棒の上部に取り付けた雲台とを有するカメラスタンドとする。
このとき、芯棒は肉厚の薄いパイプ断面形状を有するものとすることが好ましい、重量を軽くするためである。スライドは芯棒の外面形状に合わせた内面形状を有するものとして、芯棒の外寸とスライドの内寸の間には僅かな隙間を設けることが好ましい。
また、スライドにはブラケットを設け、このブラケットを介してスライドと脚とを回り対偶で連結することが好ましい。脚の本数は３本以上あれば特に本数についてこだわるものではないが、６本以下にすることが好ましく７本以上にすることは経済的でない。
またリンクは、芯棒の下部に設けたベースと脚の中間部とを連接するリンクとし、使用時に脚が所定の角度以上に開かないように、収納時には脚が閉じるようにそれぞれ制限する構成とする。
本考案においては、使用時にスライドの動きを制限する構成とすることが好ましい。例えば使用時の位置にスライドを移動させたときに、芯棒の外寸の一部とスライドの内寸の間の隙間をなくし、力を加えない限りスライドが動かないようにする方法がある。
また、バネにより押されて出入りする突起を設け、突起を押し込まない限りスライドが動かないようにする方法もある。従って、スライドの動きを制限する構成についてこだわるものではない。
ここで、雲台とはカメラやビデオカメラを載せることを可能とした台をいいその構成についてこだわるものではない。
【０００７】
請求項２の考案は、芯棒と、前記芯棒にガイドされ長手方向に移動可能なスライドと、前記芯棒の下部と回り対偶で連結する３本以上の脚と、
前記３本以上の脚のそれぞれに対応して取り付けたリンクであって、片方において前記スライドと回り対偶で連結し、他方において前記脚と回り対偶で連結するリンクと、
さらに、前記芯棒の上部に取り付けた雲台とを有するカメラスタンドとする。
このとき、芯棒は肉厚の薄いパイプ断面形状を有するものとすることが好ましい、重量を軽くするためである。スライドは芯棒の外面形状に合わせた内面形状を有するものとして、芯棒の外寸とスライドの内寸の間には僅かな隙間を設けることが好ましい。
また、スライドにはブラケットを設け、このブラケットを介してスライドとリンクとを回り対偶で連結することが好ましい。
脚の本数は３本以上あれば特に本数についてこだわるものではないが、６本以下にすることが好ましく７本以上にすることは経済的でない。
リンクはスライドに設けたブラケットと脚の中間部とを連接するリンクとし、使用時に脚が所定の角度以上に開かないようにし、またスライドを上昇させるに従い一端脚を開き、さらに収納時には脚が閉じるようにそれぞれ制限する構成とする。
本考案においては、使用時にスライドの動きを制限する構成とすることが好ましい。例えば使用時の位置にスライドを移動させたときに、芯棒の外寸の一部とスライドの内寸の間の隙間をなくし、力を加えない限りスライドが動かないようにする方法がある。
また、バネにより押されて出入りする突起を設け、突起を押し込まない限りスライドが動かないようにする方法もある。従って、スライドの動きを制限する構成についてこだわるものではない。
【０００８】
請求項３の考案は、請求項１又は請求項２のいずれかに記載したカメラスタンドであって、芯棒を複数の芯棒に分割し、下部の芯棒の中に上部の芯棒を挿入出する構成とすることにより、不使用時に長さを短く収納することを可能としたカメラスタンドとする。
使用時に各芯棒の間の相対的な移動を止める方法としては、ストッパを取り付ける方法や、各芯棒間にカメラやビデオカメラの重さ程度の力では挿入出しない程度の滑り抵抗を与える方法などがある。
本考案は、不使用時に短尺に収納可能なカメラスタンドとして、通常のバックに入れて持ち歩くことを可能な構成にしたものである。
請求項４の考案は、請求項１〜請求項３のいずれかに記載したカメラスタンドであって、収納時にその断面が概略多角形又は概略円形のいずれかになるように収納することを可能としたカメラスタンドとする。
カメラスタンドを折りたたんで収納したときに、その断面が概略多角形又は概略円形になるように構成することによりデザイン的に優れた形状にすると共に、持ちやすく通常のバックに入れやすい形状にしたものである。さらに、脚やリンクの間に小物を挟み込んだり、バックに入れたり取り出すときに他のものが引っかかることをなくすためである。
請求項５の考案は、請求項１〜請求項４のいずれかに記載したカメラスタンドであって、雲台に止め枠を設け、収納時に前記止め枠により脚をまとめて拘束する構成としたカメラスタンドとする。
脚をまとめて止め枠で拘束することにより脚が開くことを防止して、手で持ちやすくすると共に、バックの中に入れたときに脚やリンクの間に小物を挟み込んだり、バックに入れたり取り出すときに他のものが引っかかることをなくしたものである。
【実施例１】
【０００９】
以下本考案の実施例１を図１〜図３に示し説明する。実施例１に係るカメラスタンド１は太芯棒３ａと中芯棒３ｂと細芯棒３ｃとからなる芯棒３を有している。太芯棒３ａ、中芯棒３ｂ及び細芯棒３ｃは肉厚の薄いパイプ断面形状を有するものとした。
そして、中芯棒３ｂは太芯棒３ａの中に挿入出可能な構成とし、カメラやビデオカメラの重さに相当する力では挿入出しない程度の滑り抵抗を持たせた。さらに、細芯棒３ｃも中芯棒３ｂの中に挿入出可能な構成とし、カメラやビデオカメラの重さに相当する力では挿入出しない程度の滑り抵抗を持たせた。
スライド４はパイプ断面形状を有するものとし、太芯棒３ａの外径とスライド４の内径の間には僅かな隙間を有するものとし、スライド４が図３の状態に移動した位置においては太芯棒３ａの外径の一部とスライド４の内径の間の隙間をなくす構成とした。
また、スライド４には４個のブラケット４ａを設け、各ブラケット４ａに設けたピン４ｃを介して４本の脚５を回転可能に取り付けた。そして、各脚５の中間部にもピン５ａを設けた。
さらに、太芯棒３ａの下端には４本のピン７ｃを有するベース７ａを設けた。そして、片方の端部において太芯棒３ａの下端に設けたピン７ｃを介して回転可能に連結し、他方の端部において脚５の中間部に設けたピン５ａを介して回転可能に連結する４個のリンク１１を設けた。
そして、細芯棒３ｃの上部に取り付けた雲台８と、雲台８に取り付けたボルト８ａと、雲台８に取り付けた止め枠８ｂを有するカメラスタンド１とする。
【００１０】
実施例１のカメラスタンド１は図１と図２に示したように、収納時に概略円形の断面を有しデザイン的に優れたものであると共に、コンパクトに収納可能なため手で持つときに持ちやすく、通常のバックに入れることが可能である。
また、止め枠８ｂにより脚５が広がることを防ぐため、脚５やリンク１１の間に小物を挟み込んだり、バックに入れたりバックから取り出すときに他のものが引っかかることがない。
カメラスタンド１として使用するときは、片方の手で雲台８を持って上側に引っ張ると中芯棒３ｂが太芯棒３ａから、また細芯棒３ｃが中芯棒３ｂからそれぞれ抜け出て芯棒３が長尺になる。また、他方の手で脚５を持ってスライド４を太芯棒３ａの下側に移動させると、脚の上部はスライド４と共に下降し、脚の下部はリンク１１に押されて開き、さらには図３に示した使用状態になる。以上のように実施例１の考案は、収納状態から１回の動作で設置可能にすることができるため、面倒な設置作業を軽減することができた。
このとき、リンク１１はスライド４の移動に伴い脚５を開く機能と、使用時に脚５が図３に示した所定の角度以上に開かないように制限する機能を有している。
本実施例では、図３に示した使用状態において、太芯棒３ａの外径の一部とスライド４の内径の間の隙間がないため、スライド４は人が手で押さない限りは動くことはない。
実施例１では、カメラのボルト穴を雲台８のボルト８ａにねじ込み、カメラを雲台８に固定して使用する。
【実施例２】
【００１１】
以下本考案の実施例２を図４〜図６に示し説明する。実施例２に係るカメラスタンド２は太芯棒３ａと中芯棒３ｂと細芯棒３ｃとからなる芯棒３を有している。太芯棒３ａ、中芯棒３ｂ及び細芯棒３ｃは肉厚の薄いパイプ断面形状を有するものとした。
そして、中芯棒３ｂは太芯棒３ａの中に挿入出可能な構成とし、任意の位置で中芯棒３ｂの位置決めを行う図示しない固定具を取り付けた。さらに、細芯棒３ｃも中芯棒３ｂの中に挿入出可能な構成とし、任意の位置で細芯棒３ｂの位置決めを行う図示しない固定具を取り付けた。
スライド４はパイプ断面形状を有するものとし、太芯棒３ａの外径とスライド４の内径の間には僅かな隙間を有するものとした。また、バネで保持し大芯棒３ａの表面に出入り可能としたストッパ１４を設けた。ストッパ１４はスライド４が通過するときは大芯棒３ａの中に引っ込み、スライド４が図６の状態になった位置において大芯棒３ａの表面から突き出るように構成した。
さらに、太芯棒３ａの下端には３本のピン７ｃを有するベース７ｂを設けた。そして３本の脚６を設けピン７ｃを介して回転可能に連結し、各脚６の上部に近い中間部にもピン６ａを設けた。
また、スライド４には３個のブラケット４ｂを設け、各ブラケット４ｂに設けたピン４ｃを介して３本のリンク１２をその片方の端部において回転可能に連結し、各リンク１２の他方の端部において脚６のピン６ａを介して回転可能に連結させた。
そして、細芯棒３ｃの上部に取り付けた雲台９と、雲台９に取り付けたボルト９ａと、雲台９に取り付けた止め枠９ｂを有するカメラスタンド２とする。
【００１２】
実施例２のカメラスタンド２は図４及び図５に示したように、収納時に概略正三角形の断面を有しデザイン的に優れたものであると共に、コンパクトに収納可能なため手で持つときに持ちやすく、通常のバックに入れることが可能である。
また、止め枠９ｂにより脚６が広がることを防ぐため、脚６やリンク１２の間に他のものを挟み込んだり、バックに入れたりバックから取り出すときに他のものが引っかかることがない。
カメラスタンド２として使用するときは、片方の手で雲台９を持って上側に引っ張ると中芯棒３ｂが太芯棒３ａから、また細芯棒３ｃが中芯棒３ｂからそれぞれ抜け出て芯棒３が長尺になる。そこで、固定具により適当な位置で中芯棒３ｂと細芯棒３ｃを固定して使用する。
また他方の手でスライド４を持って太芯棒３ａの下側に移動させると、脚６はピン７ｃを中心に旋回し図６に示した使用状態になる。以上のように本実施例では１動作で脚６が開閉するため、面倒な設置作業を軽減するときができた。
このとき、リンク１２はスライド４の移動に伴い脚６をピン７ｃを中心として旋回させる機能と、使用時に脚６が図６に示した所定の角度以上に開かないように制限する機能を有している。
本実施例では、図６に示した使用状態において、太芯棒３ａの表面から出たストッパ１４によりスライド４の移動が制限される。また収容するときは、人手でストッパ１４を押し込むことによりスライド４を移動させることができる。
実施例２では、カメラのボルト穴を雲台９のボルト９ａにねじ込み、カメラを雲台９に固定して使用する。
実施例２の脚６の接地部は収納時に止め枠９ｂに覆われるため、バック等に入れたときに汚れが他のものに付着することはない。
【産業上の利用可能性】
【００１３】
本考案は、カメラスタンドを製造販売する産業で利用される。また、旅行産業や観光産業においても、顧客に本考案に係るカメラスタンドを貸し出す形で利用される。
【図面の簡単な説明】
【００１４】
【図１】実施例１の格納状態の平面視断面図である。
【図２】実施例１の格納状態の正面視断面図である。
【図３】実施例１の使用状態の正面視断面図である。
【図４】実施例２の格納状態の平面視断面図である。
【図５】図４のＪ−Ｊ視断面図である。
【図６】図４のＪ−Ｊ視に相当する使用状態の断面図である。
【符号の説明】
【００１５】
１  ：カメラスタンド        ２  ：カメラスタンド      ３  ：芯棒
３ａ：太芯棒                ３ｂ：中芯棒              ３ｃ：細芯棒
４  ：スライド              ４ａ：ブラケット          ４ｂ：ブラケット
４ｃ：ピン                  ５  ：脚                  ５ａ：ピン
６  ：脚                    ６ａ：ピン                ７ａ：ベース
７ｂ：ベース                ７ｃ：ピン                ８  ：雲台
８ａ：ボルト                ８ｂ：止め枠              ９  ：雲台
９ａ：ボルト                ９ｂ：止め枠            １１  ：リンク
１２  ：リンク              １４  ：ストッパ
【図１】
0003115185.tif 000003
【図２】
0003115185.tif 000004
【図３】
0003115185.tif 000005
【図４】
0003115185.tif 000006
【図５】
0003115185.tif 000007
【図６】
0003115185.tif 000008